(57)【要約】【課題】時分割駆動方式の表示装置における表示色の変化を抑制すること。【解決手段】表示装置は、表示データに応じた駆動電圧をデータ線に供給して時分割駆動する。この際、プリチャージと本駆動との２回駆動を行なう。時分割駆動するデータ線の組のうち、一のデータ線に表示データに応じた駆動電圧を供給する本駆動前に、プリチャージとして、少なくとも当該一のデータ線に隣接する隣接データ線に対し、その隣接データ線の駆動電圧と略同電圧のプリチャージ電圧を個別に供給しておく。【選択図】図４
2007279539.tif 000002
【特許請求の範囲】
【請求項１】
表示データに応じた駆動電圧をデータ線に供給して時分割駆動する表示装置の駆動方法であって、
時分割駆動するデータ線の組のうち一のデータ線に前記表示データに応じた駆動電圧を供給する前に、少なくとも当該一のデータ線に隣接する隣接データ線に対し、その隣接データ線に応じたプリチャージ電圧を個別に供給しておく表示装置の駆動方法。
【請求項２】
表示データに応じた駆動電圧をデータ線に供給して時分割駆動する表示装置の駆動方法であって、
各データ線に表示データに応じた駆動電圧を供給する前に、各データ線に対し個別にプリチャージ電圧を供給しておく表示装置の駆動方法。
【請求項３】
前記プリチャージ電圧は、当該データ線の表示データに応じた駆動電圧と略同電圧とする
ことを特徴とする請求項１又は２記載の表示装置の駆動方法。
【請求項４】
表示装置におけるデータ線を時分割駆動するドライバ回路であって、
データ線に表示データに応じた駆動電圧を供給して時分割駆動する駆動部と、
前記駆動部を制御する制御部とを有し、
前記制御部は、前記駆動部が時分割駆動するデータ線の組のうち一のデータ線に表示データに応じた駆動電圧を供給する前に、少なくとも当該一のデータ線に隣接する隣接データ線に対し、その隣接データ線に応じたプリチャージ電圧を個別に供給するよう制御するドライバ回路。
【請求項５】
前記制御部は、各データ線に表示データに応じた駆動電圧を供給する前に、各データ線に対し個別にプリチャージ電圧を供給するよう制御する
ことを特徴とする請求項４記載のドライバ回路。
【請求項６】
前記プリチャージ電圧は、当該データ線の表示データに応じた駆動電圧と略同電圧とする
ことを特徴とする請求項４又は５記載のドライバ回路。
【請求項７】
前記駆動部は、前記表示データに応じた駆動電圧を供給する出力アンプ部と、前記出力アンプ部とデータ線との間に接続された時分割選択部とを有し、
前記制御部は、前記時分割選択部を制御する
ことを特徴とする請求項４乃至６のいずれか１項記載のドライバ回路。
【請求項８】
前記駆動部と前記データ線との間に接続され、前記表示パネル上に設けられた時分割駆動部を有し、
前記制御部は、前記時分割選択部を制御する
ことを特徴とする請求項４乃至６のいずれか１項記載のドライバ回路。
【請求項９】
表示パネルと、
前記表示パネル上に配置されるデータ線に表示データに応じた駆動電圧を供給して時分割駆動するドライバとを有し、
前記ドライバは、時分割駆動するデータ線の組のうち一のデータ線に前記表示データに応じた駆動電圧を供給する前に、少なくとも当該一のデータ線に隣接する隣接データ線に対し、その隣接データ線に応じたプリチャージ電圧を個別に供給する表示装置。
【請求項１０】
前記ドライバは、各データ線に表示データに応じた駆動電圧を供給する前に、各データ線に対し個別にプリチャージ電圧を供給する
ことを特徴とする請求項９記載の表示装置。
【請求項１１】
前記データ線に接続された時分割選択部を有し、
前記ドライバは、前記時分割選択部を介して表示データに応じた駆動電圧を前記データ線に供給する
ことを特徴とする請求項９又は１０記載の表示装置。
【請求項１２】
前記ドライバは、前記時分割選択部を有する
ことを特徴とする請求項９乃至１１のいずれか１項記載の表示装置。
【請求項１３】
前記時分割選択部は、前記表示パネル上に設けられる
ことを特徴とする請求項１２項記載の表示装置。
【請求項１４】
前記時分割選択部を制御する選択制御部を有する
ことを特徴とする請求項１２又は１３項記載の表示装置。
【発明の詳細な説明】
【技術分野】
【０００１】
本発明は、表示装置におけるデータ線を時分割駆動するドライバ回路及び、時分割駆動するドライバ回路を備えた表示装置及びその駆動方法に関する。
【背景技術】
【０００２】
従来、アクティブマトリクス型の液晶表示装置において、液晶の駆動を高速化するプリチャージ技術が知られている。このプリチャージ技術では、表示データに基づくデータ線の駆動に先立って、当該データ線を所定の電圧にプリチャージしておき、表示データに基づく駆動電圧の供給に伴うデータ線の充放電量を少なくするものである（例えば特許文献１、２参照）。
【０００３】
ところで、ｐｏｌｙ−Ｓｉの電界効果移動度は、アモルファスＳｉの電界効果移動度である約０．５〜１ｃｍ２／Ｖｓに比べ、約数十〜２００ｃｍ２／Ｖｓと大きい。このため、液晶表示部を形成した同一基板上に、ｐｏｌｙ−Ｓｉ  ＴＦＴを用いることで、小型で実用的な信号回路や走査回路等の周辺回路を形成することができる。
【０００４】
ｐｏｌｙ−Ｓｉ  ＴＦＴ（Thin film transistor）を用いた高解像度、高精細な液晶表示装置を実現する方法として、例えば、液晶表示部と同一基板上に設けた時分割スイッチと、ドライバＩＣとを用いたＲＧＢ時分割駆動方式が提案されている。ＲＧＢ時分割駆動方式における液晶表示装置の一例としては、液晶表示部と同一基板上に設けた時分割スイッチを介して、ドライバＩＣの１つの出力端子と液晶表示部に含まれる３つのデータ線（ドレイン線、ソース線ともいう。以下ではデータ線という。）（Ｒ、Ｇ、Ｂ各画素に対応するデータ線）とを接続する。ＲＧＢ時分割駆動方式では、１水平期間を３つの期間に時分割し、各期間でＲＧＢに対応する３種類のデータ線から１種類のデータ線を順次選択する。そして、ドライバＩＣは、時分割スイッチにより選択されるデータ線に対応した表示データを出力端子から出力する。これにより、液晶パネル内の液晶は、表示データに対応した表示信号が印加されることになり、階調表示が実現される。このように、ＲＧＢ時分割駆動方式では、ドライバＩＣの１つの出力端子から３つのデータ線に対して信号を出力しているので、ドライバＩＣの出力端子数を、液晶表示部のデータ線数（＝水平画素数）の１／３とすることが可能となり、従来の線順次駆動方式に比べ、ドライバＩＣ数を削減することが可能となる。また、液晶表示部と時分割スイッチとを形成した基板と、ドライバＩＣとの接続端子数も、従来の線順次駆動方式に比べ１／３に削減することが可能となり、より高精細、高解像度な液晶表示装置を実現することが可能となる。
【０００５】
しかしながら時分割駆動すると、例えばＲＧＢのデータ線Ｒを選択して負極性の表示信号を書き込んだ場合、隣接する画素電極が正極性のままであるため、画素電極間寄生容量への充放電が発生し、消費電力の増大につながる。また、目標の輝度が得られない場合もある。
【０００６】
このような課題を解決するため、上述の特許文献１，２と同様にプリチャージする技術が特許文献３に開示されている。この特許文献３に記載の表示装置においては、駆動前に全時分割スイッチをオンして予め表示データに近い電圧を供給しておくものである。
【特許文献１】特開２００５−３７８３２号公報
【特許文献２】特開２００５−１１５３４２号公報
【特許文献３】特開２００３−１６７５５６号公報
【発明の開示】
【発明が解決しようとする課題】
【０００７】
しかしながら、時分割駆動する際に、一のデータ線を駆動した影響は寄生容量を介して隣り合うラインへ影響を与える。その影響度合いｑは、その充電ラインの変化電圧ΔＶに比例し、画素容量（パネル容量）をＣｌ、データ線間の寄生容量Ｃとすると、ｑ＝Ｃ×ΔＶとなる。一方、いずれの特許文献１乃至３においても、すべてのデータ線に同一のプリチャージ電圧を与えることで、高速駆動又は寄生容量の影響低減を図るものであるが、同時にプリチャージすると、全てのデータ線には同じ電圧にしかプリチャージすることができない。このため、結局データ書込み時にカップリングによる電圧変動が大きくなる。よって、隣接するデータ線の電圧に影響を与えてしまう。このことにより、表示画像に色むらが発生するなどの問題点がある。
【０００８】
また、上述の特許文献３等に記載の時分割方式の表示装置は、パネル側に時分割スイッチを設ける構成であるが、データドライバ側に時分割スイッチを設ける構成とする場合、データ線の引き回しが長くなる。配線引き回しが長くなると寄生容量が大きくなり、その影響を受けやすくなって表示色が変化する問題が顕著になる。これは、パネル側の駆動完了画素のスイッチがＯＦＦしないことから、他のデータ線の充電切り替えによる影響を受けやすいためである。
【課題を解決するための手段】
【０００９】
本発明にかかる表示装置の駆動方法は、表示データに応じた駆動電圧をデータ線に供給して時分割駆動する表示装置の駆動方法であって、時分割駆動するデータ線の組のうち一のデータ線に、前記表示データに応じた駆動電圧を供給する前に、少なくとも当該一のデータ線に隣接する隣接データ線に対し、その隣接データ線に応じたプリチャージ電圧を個別に供給しておくものである。
【００１０】
本発明にかかる表示装置は、表示パネルと、前記表示パネル上に配置されるデータ線に表示データに応じた駆動電圧を供給して時分割駆動するドライバとを有し、前記ドライバ回路は、前記ドライバが時分割駆動するデータ線の組のうち一のデータ線に前記表示データに応じた駆動電圧を供給する前に、少なくとも当該一のデータ線に隣接する隣接データ線に対し、その隣接データ線に応じたプリチャージ電圧を個別に供給するものである。
【００１１】
本発明においては、予め、少なくとも駆動するデータ線に隣接するデータ線を当該データ線に応じたプリチャージ電圧にプリチャージしておくことにより、駆動電圧を与える際のデータ線の電圧変動を小さくすることができる。これにより、隣接データ線の電圧に与える影響を低減することができる。
【発明の効果】
【００１２】
本発明によれば、時分割駆動方式の表示装置における表示色の変化を抑制することができる。
【発明を実施するための最良の形態】
【００１３】
以下、本発明を適用した具体的な実施の形態について、図面を参照しながら詳細に説明する。この実施の形態は、本発明を、時分割駆動方式の液晶表示装置に適用したものである。
【００１４】
実施の形態１．
図１は、本発明の実施の形態にかかる表示装置を示す図である。図１に示すように、本実施の形態にかかるＲＧＢ時分割駆動方式における液晶表示装置１は、アクティブマトリクス型の液晶表示パネル３０、走査線を駆動するゲートドライバ３３、データ線を駆動する駆動部としてのデータドライバ（ソースドライバ）２１を含むドライバＩＣ２０、表示データ及び各種のタイミング信号などを供給するコントローラ１０、及び図示せぬ電源回路などを備えている。なお、ゲートドライバは表示パネル外に形成してもよく、またデータドライバを含むドライバＩＣをパネル上に形成してもよい。
【００１５】
液晶表示パネル３０は、格子状に形成された複数の走査線（ゲート線）３２及び複数のデータ線３１、マトリクス状に配列した画素電極３４、並びにソース線３１及び画素電極に接続されたスイッチング素子であるＴＦＴ（図示せず）が形成されたＴＦＴアレイ基板と、画素電極に対向する対向電極が形成された対向基板（図示せず）と、これら両基板の間に挟持された液晶とを有する。ＴＦＴはそのソース又はドレインがソース線３１又は画素電極に接続される。また、その制御端子（ゲート）にゲート線３２が接続され、ＴＦＴのオン・オフが制御される。
【００１６】
データドライバ２１を含むドライバＩＣ２０の出力はドライバＩＣ２０の外部端子２３、液晶表示パネル３０の外部端子３５を介してゲート線３２及びソース線３１にそれぞれ接続されている。コントローラ１０は、ＰＣなどの外部ホストから表示データが入力され、これに基づきゲートドライバ３３及びデータドライバ２１の駆動を制御する。また、本実施の形態にかかる表示装置１は、ドライバＩＣ２０に時分割スイッチ回路（時分割ＳＷ回路）２２を有している。コントローラ１０は、この時分割ＳＷ回路２２のスイッチ制御信号を生成し、時分割ＳＷ回路２２に供給し、各スイッチのオン・オフを制御する。なお、本実施の形態においては、時分割ＳＷ回路２２のスイッチ制御は、コントローラ１０が実施するものとして説明するが、スイッチ制御回路を例えばドライバＩＣ２０内などのコントローラ１０の外部に設けてもよい。
【００１７】
液晶表示装置１において表示を行う場合、ＰＣなどの外部ホストから表示データ（ビデオデータ）及び、垂直同期信号や水平同期信号などの各種のタイミング信号がコントローラ１０に入力される。コントローラ１０からゲートドライバ３３には、各ゲート線３２を順次選択するためのクロック信号及び選択パルス信号が入力される。また、コントローラ１０からデータドライバ２１には、各種タイミング信号や各データ線３１に対応し階調を示す表示データが送られる。データドライバ２１は、取得した表示データをＤ／Ａ変換することによって階調電圧を生成し、時分割ＳＷ回路２２にて選択されたソース線３１に画像信号として出力する。
【００１８】
ゲートドライバ３３から各ゲート線３２にはパルス状の走査信号が供給され、ゲート線３２に供給された走査信号がオンレベルのとき、そのゲート線３２に接続されているＴＦＴが全てターンオンされる。データドライバ２１から時分割ＳＷ回路２２を介してソース線３１に供給された画像信号は、ターンオンされたＴＦＴを介して画素電極に供給される。その後、走査信号がオフレベルとなり、ＴＦＴがターンオフされると、供給された画像信号にＴＦＴのフィードスルーによりオフセット電圧を加えた画素電圧が、次のフレームのゲート線３２に走査信号が供給されるまでの間、液晶容量や補助容量などの画素容量によって保持される。そして、各ゲート線３２に順次走査信号を供給することにより、全ての画素電極に所定の画像信号が供給され、フレーム周期で画像信号の書き換えを行うことにより画像を表示することができる。
【００１９】
次に、本実施の形態にかかるドライバＩＣ２０について説明する。図２は、ドライバＩＣ２０を示すブロック図である。図２に示すように、ドライバＩＣ２０は、シフトレジスタ１０１、データレジスタ１０２、データラッチ１０３、レベルシフタ１０４、Ｄ／Ａコンバータ１０５及び出力アンプ部１０６からなるデータドライバ２１と、時分割ＳＷ回路２２とを有する。ドライバＩＣ２０のシフトレジスタ１０１の出力は次段のドライバ回路にカスケード出力され、複数個のドライバＩＣ２０がカスケード接続されることでデータ駆動回路を構成する。シフトレジスタ１０１はデータ線の数に応じた複数段のレジスタからなり、シフトスタートパルス及びクロックが供給され、スタートパルスをクロックのタイミングで順次シフトする。
【００２０】
データレジスタ１０２は、シフトレジスタ１０１と同数段のレジスタからなり、ディジタル画像信号（以下、データという。）が各レジスタにパラレルに供給され、シフトレジスタ１０１により供給されるシフトパルスの例えば立ち下がりタイミングで各レジスタが順次データを保持する。
【００２１】
データラッチ１０３は、データレジスタ１０２の各レジスタ全てにデータの入力が終了するとデータラッチ信号が供給され、データレジスタ１０２の各レジスタに保持されている全データをラッチする。データラッチ１０３にてラッチされたデータは、レベルシフタ１０４により適宜レベルがシフトされる。
【００２２】
Ｄ／Ａコンバータ１０５は、レベルシフト後のデータをデコードして階調電圧を出力する。図示せぬ電源回路から供給される階調基準電圧から例えば６４階調の電圧を選択出力する。出力アンプ部１０６は、Ｄ／Ａコンバータ１０５の出力を増幅し出力信号として出力する。データラッチ１０３に供給されるデータラッチ信号及び極性反転信号は出力アンプ部１０６にも供給され、データラッチ信号のタイミングで極性反転信号に応じた極性の出力を選択して出力する。
【００２３】
ここで、本実施の形態にかかる表示装置においては、ＲＧＢからなる３本のデータ線を１組とし、一の出力アンプに接続される。すなわち、一の出力アンプにより３本のデータ線を時分割で駆動する。このため、時分割ＳＷ回路２２は、ＳＷ制御信号に基づき、各スイッチを切替、各データ線を時分割駆動する。なお、本実施の形態においては、時分割ＳＷ回路２２はドライバＩＣ２０内に設けられるものとして説明するが、パネル３０上に時分割ＳＷ回路２２を設けてもよいことは勿論である。
【００２４】
この時分割ＳＷ回路２２により、時分割駆動を行なうが、本実施の形態にかかる表示装置１は、時分割された各駆動タイミングを更に複数に分割して駆動する。すなわち、事前駆動（以下、プリチャージという。）と最終駆動（以下、本駆動という。）の２重に駆動する。
【００２５】
図３は、表示装置１の要部を示す図である。図３においては、３ｎ本のデータ線がＲＧＢの３本一組で時分割駆動される例を示す。なお、１つの出力アンプにより３以上、例えば６本のデータ線を時分割駆動するようにしてもよい。ドライバＩＣ２０のＤ／Ａコンバータ１０５からの出力は、３本一組の配線が一の出力アンプ１０６ｎに接続され、各出力アンプ１０６ｎの出力は、３つのスイッチＳＷｎａ、ＳＷｎｂ、ＳＷｎｃを有する時分割ＳＷ回路２２を介して３本のデータ線Ｓｎａ、Ｓｎｂ、Ｓｎｃに接続される。各データ線Ｓｎａ、Ｓｎｂ、Ｓｎｃは、パネル側のゲート線３２に接続されるスイッチＧＳＷｎａ、ＧＳＷｎｂ、ＧＳＷｎｃを介して画素容量Ｃｎａ、Ｃｎｂ、Ｃｎｃに接続される。ここで、各データ線Ｓｎａ、Ｓｎｂ、Ｓｎｃにおいて、隣接するデータ線間には、カップリング容量（寄生容量）が形成される。本例においては、データ線Ｓｎ−１ｃとデータ線Ｓｎａとの間に形成されるカップリング容量をＣ（ｎ−１）ｃａ、データ線Ｓｎａとデータ線Ｓｎｂとの間に形成されるカップリング容量をＣｎａｂ、データ線Ｓｎｂとデータ線Ｓｎｃとの間に形成されるカップリング容量をＣｎｂｃ、のように表すこととする。
【００２６】
次に、本実施の形態にかかる表示装置の動作について説明する。図４は、本実施の形態にかかる駆動波形を示す図である。図４に示すように、各データ線は、各データ線それぞれに対応するプリチャージ期間ｔａ〜ｔｃと、本駆動期間Ｔａ〜Ｔｃとを有している。本例においては、データ線Ｓｎａ、Ｓｎｂ、Ｓｎｃを駆動する場合について説明する。なお、データ線Ｓｎａの電圧ＶＳｎａは隣接するデータ線Ｓ（ｎ-１）ｃからの影響も受けるので合わせて示す。
【００２７】
先ず、ｔａの期間に、データ線Ｓｎａをデータ線Ｓｎａに応じた電圧、本例においては、データ線Ｓｎａの駆動電圧と略同電圧にプリチャージする。次に、ｔｂの期間にデータ線Ｓｎｂをデータ線Ｓｎｂの駆動電圧と略同電圧にプリチャージする。更にｔｃの期間にデータ線Ｓｎｃをデータ線Ｓｎｃの駆動電圧と略同電圧にプリチャージする。このように、各データ線をそれぞれ個別に、各データ線の駆動電圧となるようプリチャージを行なう。その後は、従来と同様、各データ線Ｓｎａ、Ｓｎｂ、Ｓｎｃを時分割駆動する。すなわち、期間Ｔａ、Ｔｂ、Ｔｃにそれぞれデータ線Ｓｎａ、Ｓｎｂ、Ｓｎｃに対し、それぞれの駆動電圧を供給する。
【００２８】
本実施の形態のように、１水平期間に、パネル側のスイッチＧＳＷｎのＯＮからＯＦＦへの駆動が１度しか行われない場合には、隣り合うデータ線間に形成されるカップリング容量の影響を受ける。特に、表示装置が高画素で１ドライバＩＣあたりの出力数が多い場合、配線の引き回しが長くなり、この影響を受けやすい。
【００２９】
そこで、本実施の形態においては、各データ線に対し、当該データ線の表示データと略同電圧のプリチャージ電圧によるプリチャージを行なった後本駆動を行なう。すなわち、プリチャージ時に、各画素容量、カップリング容量へ予め充電を行なうことにより、各データ線間の電位差は目的電圧近傍に達するため、本駆動時にカップリング容量を介しての電荷の注入又は流出を抑制することができる。したがって、データ線における電圧変動が低減されて、パネル側のＧＳＷｎがＯＮ状態で時分割駆動しても表示データへの影響を抑制し、色むらのない画像を表示することが可能となる。
【００３０】
次に、一般的な時分割駆動について先ず説明し、本発明の効果について詳細に説明する。図５は、一般的な時分割駆動を示す図である。なお、以下の説明においては、説明の簡単のため、データ線の電圧変動については、２以上隔てたデータ線からの影響は無視するものとし、最隣接のデータ線からの影響のみを考慮して説明する。更に、最もカップリング容量の影響を受ける、すなわち始めに本駆動されるデータ線についてのみ考えることとする。
【００３１】
また、例えば、図３におけるデータ線Ｓｎａ、Ｓｎｂ、Ｓｎｃに対する駆動電圧を、電圧Ｖｎａ、Ｖｎｂ、Ｖｎｃ、隣り合うデータ線Ｓｎａ−Ｓｎｂ、データ線Ｓｎｂ−Ｓｎｃにおけるカップリング容量をＣｎａｂ、Ｃｎｂｃ、パネル上のデータ線の電圧をＶＳｎａ、ＶＳｎｂ、ＶＳｎｃのように表すとする。ここで、Ｖｎｂ、Ｖ（ｎ−１）ｃが、ΔＶｎｂ、ΔＶ（ｎ−１）ｃだけ変化した時にデータ線Ｓｎａへ流れ込む電荷ΔＱｎａは、以下の式で表すことができる。
ΔＱｎａ＝ΔＱｂ＋ΔＱ（ｎ−１）ｃ
＝Ｃｎａｂ×Ｖｎｂ＋Ｃ（ｎ−１）ｃａ×Ｖ（ｎ−１）ｃ
【００３２】
この電荷ΔＱｎａの、データ線Ｓｎａの電圧変動への寄与は、データ線Ｓｎａの負荷（寄生を除く）がＣｎａであり、Ｑ＝ＣＶであるから下記のように表すことができる。
ΔＶｎａ＝ΔＶａ１＋ΔＶａ２
≒ΔＱｎｂ／Ｃｎａ＋ΔＱ（ｎ−１）ｃ／Ｃｎａ
＝Ｃｎａｂ／Ｃｎａ×Ｖｎｂ＋Ｃ（ｎ−１）ｃａ／Ｃｎａ×Ｖ（ｎ−１）ｃ
＝Ｋａｂ×Ｖｎｂ＋Ｋａｃ'×Ｖ（ｎ−１）ｃ
≒Ｋ×（Ｖｎｂ＋Ｖ（ｎ−１）ｃ）
【００３３】
ただし、カップリング容量比Ｋａｂ＝Ｃｎａｂ／Ｃｎａ、Ｋａｃ'＝Ｃ（ｎ−１）ｃａ／Ｃｎａであって、画素容量とカップリング容量との比で一義的に決定される比例定数である。すなわち、Ｋａｂは、データ線Ｓｎａの画素容量Ｃｎａｃと、データ線Ｓｎａと平行に配置されたデータ線Ｓｎｂ間のカップリング容量Ｃｎａｂの比により決定され、Ｋａｃ'は、データ線Ｓｎａのパネル負荷Ｃｎａと、データ線Ｓｎａとデータ線Ｓ（ｎ−１）ｃとの間の寄生容量Ｃ（ｎ−１）ａｃとの比により決定される定数である。また、ΔＱｎｂ、ΔＱ（ｎ−１）ｃは、データ線Ｓｎｂ、Ｓ（ｎ−１）ｃへ流れ込む電荷である。
【００３４】
ここでＫｘｙは、データ線ｘ−ｙ間の寄生容量とデータ線ｘのパネル負荷容量との比である。このＫｘｙ、Ｋｙｚ、Ｋｚｘ、Ｋｙｘ、・・・・は、隣り合うライン間ではほぼ同等であるので、式の簡素化、及び効果を明確化するために、近似値をＫとして、以下の説明でも同様とする。また、パネル負荷容量に対するライン間の寄生容量の比は一般的には小さく、Ｋ≒Ｋｘｙ＝Ｃｍｘｙ／Ｃｘ＜＜１である（ｍ＝ｎ−１、ｎ、ｎ＋１、ｘ＝ｍａ〜ｍｃ）。
【００３５】
従って、データ線Ｓｎａの電圧Ｖｎａの変動は、隣り合うデータ線Ｓ（ｎ−１）ｃ、Ｓｎｂの電圧の変動量ΔＶ（ｎ−１）ｃ、ΔＶｎｂとカップリング容量比Ｋに比例するから、カップリング容量が低減できない場合においては、ドライバでのレベル駆動後の隣り合うデータ線の電圧変動を抑えることが唯一の改善となる。
【００３６】
上記従来のカップリング容量の影響による電圧誤差の概算値について説明すると、１水平期間Ｈ中、パネル側スイッチＧＳＷｎａ、ＧＳＷｎｂ、ＧＳＷｎｃは全てＯＮとなる。先ず、期間ＴａにおいてスイッチＳＷｎａがＯＮされ、データ線Ｓｎａに駆動電圧Ｖｎａが供給され、データ線Ｓｎａの電圧ＶＳｎａは、駆動電圧Ｖｎａとされる。次の期間ＴｂにおいてスイッチＳＷｎｂがＯＮすると、データ線Ｓｎｂに駆動電圧Ｖｎｂが供給され、データ線Ｓｎｂの電圧ＶＳｎｂは、駆動電圧Ｖｎｂとされる。このとき、データ線Ｓｎｂが駆動電圧Ｖｎｂに充電されたことによって、両者のデータ線間に生じるカップリング容量Ｃｎａｂを介して、データ線Ｓｎａの電圧ＶＳｎａがΔＶａ１上昇する。次の期間ＴｃにおいてスイッチＳＷ（ｎ−１）ｃがＯＮすると、データ線Ｓ（ｎ−１）ｃに駆動電圧Ｖ（ｎ−１）ｃが供給され、データ線Ｓ（ｎ−１）ｃの電圧ＶＳ（ｎ−１）ｃは、駆動電圧Ｖ（ｎ−１）ｃとされる。このとき、データ線Ｓｎｃが駆動電圧Ｖｎｃに充電されたことによって、データ線Ｓｎｂとデータ線Ｓｎｃとの間に生じるカップリング容量Ｃｎｂｃを介して、データ線Ｓｎｂの電圧ＶＳｎｂがΔＶｂ１上昇する。さらに、データ線Ｓｎａとデータ線Ｓｎｂとの間に生じるカップリング容量Ｃｎａｂと、データ線Ｓ（ｎ−１）ｃとデータ線Ｓｎａとの間に生じるカップリング容量Ｃ（ｎ−１）ｃａとを介して、データ線Ｓｎａの電圧ＶＳｎａがさらにΔＶａ２上昇する。
【００３７】
すなわち、カップリング容量の影響による電圧誤差の概算値は、上述したように、下記（１）のように表すことができる。
データ線Ｓｎａの電圧変位量ΔＶｎａ：
ΔＶｎａ＝ΔＶａ１＋ΔＶａ２
≒ΔＱｎｂ／Ｃｎａ＋ΔＱ（ｎ−１）ｃ／Ｃｎａ
＝Ｃｎａｂ／Ｃｎａ×Ｖｎｂ＋Ｃ（ｎ−１）ｃａ／Ｃｎａ×Ｖ（ｎ−１）ｃ
＝Ｋａｂ×Ｖｎｂ＋Ｋａｃ'×Ｖ（ｎ−１）ｃ
≒Ｋ（Ｖｎｂ＋Ｖ（ｎ−１）ｃ）・・・（１）
【００３８】
一方、本実施の形態のように、プリチャージしてから本駆動する場合は、以下のようになる。図４に戻って、１水平期間Ｈ中、パネル側スイッチＧＳＷｎａ、ＧＳＷｎｂ、ＧＳＷｎｃは全てＯＮとなる。そして、プリチャージ動作では、先ず、期間ｔａにおいてスイッチＳＷｎａがＯＮする。このときスイッチＳＷｎａに対応するスイッチＳＷａも同時にＯＮする。このスイッチＳＷａに供給されている電圧Ｖｎａは、書込み電圧(駆動電圧)、例えば、1つの画素に供給されるＲＧＢによる書込信号のうち、Ｒ信号に対応する電圧が供給されている。これにより、データ線Ｓｎａに駆動電圧と同じプリチャージ電圧Ｖｎａが供給され、データ線Ｓｎａの電圧ＶＳｎａは、プリチャージ電圧（＝駆動電圧）Ｖｎａに充電される。なお、この期間においては、ＳＷｎａ及びＳＷａ以外のスイッチＳＷｎｂ、ＳＷｂ、ＳＷｎｃ、ＳＷｃはＯＦＦしている。
【００３９】
次の期間ｔｂにおいてスイッチＳＷｎｂがＯＮする。このときスイッチＳＷｎｂに対応するスイッチＳＷｂも同時にＯＮする。このスイッチＳＷｂに供給されている電圧Ｖｎｂは、例えば、前述の画素に供給されるＲＧＢによる書込信号のうち、Ｇ信号に対応する電圧が供給されている。これにより、データ線Ｓｎｂに駆動電圧と同じプリチャージ電圧Ｖｎｂが供給され、データ線Ｓｎｂの電圧ＶＳｎｂはプリチャージ電圧（＝駆動電圧）Ｖｎｂに充電される。このとき、データ線Ｓｎｂがプリチャージ電圧Ｖｎｂに充電されたことによって、両者のデータ線間に生じるカップリング容量Ｃｎａｂを介して、データ線Ｓｎａの電圧ＶＳｎａがΔＶａ１上昇する。なお、この期間においては、ＳＷｎａ及びＳＷａ、ＳＷｎｃ、ＳＷｃはＯＦＦしている。
【００４０】
次の期間ｔｃにおいてスイッチＳＷ（ｎ−１）ｃがＯＮする。このときスイッチＳＷｎｃに対応するスイッチＳＷｃも同時にＯＮする。このスイッチＳＷｃに供給されている電圧Ｖｎｃは、例えば、前述の画素に供給されるＲＧＢによる書込信号のうち、Ｂ信号に対応する電圧が供給されている。これにより、データ線Ｓ（ｎ−１）ｃに駆動電圧と同じプリチャージ電圧Ｖ（ｎ−１）ｃが供給され、データ線Ｓ（ｎ−１）ｃの電圧ＶＳ（ｎ−１）ｃは、プリチャージ電圧（＝駆動電圧）Ｖ（ｎ−１）ｃに充電される。このとき、データ線Ｓ（ｎ−１）ｃがプリチャージ電圧Ｖ（ｎ−１）ｃに充電されたことによって、データ線Ｓｎａとデータ線Ｓ（ｎ−１）ａとの間に生じるカップリング容量Ｃ（ｎ−１）ａｃを介してデータ線Ｓｎａの電圧ＶＳｎａが更にΔａ２上昇する。なお、この期間においては、ＳＷｎａ及びＳＷａ、ＳＷｎｂ、ＳＷｂはＯＦＦしている。
【００４１】
次の本駆動動作では、先ず、期間Ｔａにおいて、スイッチＳＷｎａ及びＳＷａがＯＮされ、前述の画素に供給されるＲ信号に対応する電圧、つまり、期間ｔａに供給された電圧と同じ電圧が供給され、従って、データ線Ｓｎａに駆動電圧Ｖｎａが供給され、データ線Ｓｎａの電圧ＶＳｎａは、駆動電圧Ｖｎａとされる。すなわち、ＶＳｎａ＝Ｖｎａ＋ΔＶａ１＋ΔＶａ２であったものが、ＶＳｎa＝Ｖｎａとなり、Ｖｎａ１＝−（ΔＶａ１＋ΔＶａ２）＝Ｋ×{−（Ｖｎｂ＋Ｖ（ｎ−１）ｃ）}だけ変動する。なお、データ線Ｓｎａの電圧が、Ｖｎａ１変動することで、データ線Ｓｎｂ、Ｓｎｃの電圧も駆動電位×Ｋ２だけ変動する。また、この期間においては、スイッチＳＷｎｂ、ＳＷｂ、ＳＷｎｃ、ＳＷｃはＯＦＦしている。
【００４２】
次の期間ＴｂにおいてスイッチＳＷｎｂ及びＳＷｂがＯＮする。これにより、前述の画素に供給されるＧ信号に対応する電圧、つまり、期間ｔｂに供給された電圧と同じ電圧が供給され、従って、データ線Ｓｎｂに駆動電圧Ｖｎｂが供給され、データ線Ｓｎｂの電圧ＶＳｎｂは、駆動電圧Ｖｎｂに一致する。これにより、電圧ＶＳｎｂは略ΔＶｂ１分減少する。この変動をＶｎｂ１とする。変動Ｖｎｂ１により、データ線Ｓｎａとデータ線Ｓｎｂとの間に生じるカップリング容量Ｃｎａｂを介して、データ線Ｓｎａの電圧が更にΔＶａ３減少する。また、データ線Ｓｎａ、Ｓｎｂの電圧ＶＳｎａ、ＶＳｎｂの変動によりデータ線Ｓｎｃの電圧ＶＳｎｃがＶｎｃからΔＶｃ１だけ変動する。なお、この期間においては、ＳＷｎａ及びＳＷａ、ＳＷｎｃ、ＳＷｃはＯＦＦしている。
【００４３】
そして、最後の期間ＴｃにおいてスイッチＳＷｎｃ及びＳＷｃがＯＮする。これにより、前述の画素に供給されるＢ信号に対応する電圧、つまり、期間ｔｃに供給された電圧と同じ電圧が供給され、従って、データ線Ｓｎｃに駆動電圧Ｖｎｃが供給され、データ線Ｓｎｃの電圧ＶＳｎｃは、駆動電圧Ｖｎｃとされる。すなわち、変動分のΔＶｃ１上昇することとなり、この電圧の変動Ｖｎｃ１によって、データ線Ｓｎｂとデータ線Ｓｎｃとの間に生じるカップリング容量Ｃｎｂｃを介して、データ線Ｓｎｂの電圧ＶＳｎｂがΔＶｂ２上昇する。また、データ線Ｓｎａとデータ線Ｓｎｂとの間に生じるカップリング容量Ｃｎａｂと、データ線Ｓ（ｎ−１）ｃとデータ線Ｓｎａとの間に生じるカップリング容量Ｃ（ｎ−１）ｃａを介して、データ線Ｓｎａの電圧ＶＳｎａがΔＶａ４上昇する。なお、この期間においては、ＳＷｎａ及びＳＷａ、ＳＷｎｂ、ＳＷｂはＯＦＦしている。
【００４４】
寄生容量の影響による電圧誤差の概算値は、図５に示す従来と異なり、本駆動による電圧変動、すなわち、期間Ｔａ以降の電圧変動のみを考慮すればよい。すなわち、カップリング容量の影響による電圧誤差の概算値は、下記（２）のようになる。
データ線Ｓｎａの電圧変位量：
ΔＶｎａ＝ΔＶａ３＋ΔＶａ４
＝（Ｋａｂ×Ｖｎｂ１）＋｛Ｋａｃ'×Ｖ（ｎ−１）ｃ１＋Ｋａｂ×ΔＶｂ２｝
＝（Ｋａｂ×Ｖｎｂ１）＋｛Ｋａｃ'×Ｖ（ｎ−１）ｃ１＋Ｋａｂ×Ｋｂｃ×ΔＶｎｃ１｝
≒（Ｋａｂ×Ｖｎｂ１）＋｛Ｋａｃ'×Ｖ（ｎ−１）ｃ１｝
≒Ｋ（Ｖｎｂ１＋Ｖ（ｎ−１）ｃ１）・・・（２）
なお、"Ｋａｂ×ΔＶｂ２"、"Ｋａｂ×Ｋｂｃ×ΔＶｎｃ１"は、データ線Ｓｎａの隣の隣である、データ線Ｓｎｃよりデータ線Ｓｎｂを経由した影響であるが、上述したように、比例定数の２乗でその影響は少ないため、本計算比較では無視することとする。
【００４５】
データ線Ｓｎａ、Ｓｎｂ、Ｓｎｃのうち、最初に駆動が完了して、隣り合うラインの寄生容量を介しての変動が最も大きいＳｎａラインについて考察すると、図４に示す従来の駆動方法と本実施の形態との変動比は、（１）、（２）より、
（Ｖｎｂ１＋Ｖ（ｎ−１）ｃ１）／（Ｖｎｂ＋Ｖ（ｎ−１）ｃ）・・・（３）
ここでＶｎｂ１は、Ｓｎｃの隣接間の駆動に伴う駆動電圧変動ΔＶｂ１を駆動電圧Ｖｎｂに戻すための電圧駆動（変動）であり、
Ｖｎｂ１＝ΔＶｂ１＝Ｋｂｃ×Ｖｎｃ＝Ｋ×Ｖｎｃ
であり
Ｖｎｂ１＜＜Ｖｎｃである。
同様な簡単な考察、及び図４に示すように、Ｖ（ｎ−１）ｃ１＜＜Ｖｎｂ１
となることは明らかである。従って、（３）式は＜＜１となり、従来駆動よりＫ（＜＜１）倍程度、変動が少ないことが解る。なお、以上の検討の前提は、通常の表示品位が要求される中間階調（Ｖｎａ〜Ｖｎｃが数Ｖの電圧駆動時）における考察であり、Ｖｎａ〜Ｖｎｂが０Ｖ（黒表示）や同じ電圧の特殊時は除く。
【００４６】
このように、駆動電圧を供給することでデータ線の電圧が変動すると、隣接するデータ線の電圧に影響を与えるが、これは当該データ線の電圧の変動量に比例する。本実施の形態においては、予め、各データ線を、駆動電圧にプリチャージしておく、換言すれば、２回駆動を実施している。このため、従来のカップリング容量による影響がＫ×隣接配線の電圧変位量であったのに対し、本実施の形態においては、カップリング容量による影響がＫ×Ｋ×隣接配線の電圧変位量となり、カップリング容量による影響を極めて小さくすることができる。
【００４７】
実施の形態２．
次に、本発明の実施の形態２について説明する。図６は、本実施の形態にかかる駆動タ
イミングを示す図である。上述の実施の形態においては、各データ線それぞれ全てについて、１回プリチャージを行なってから本駆動するものとして説明したが、一部のデータ線に対してはプリチャージと本駆動とを同時にすることも可能である。
【００４８】
すなわち、図６に示すように、本例においては、データ線Ｓｎｃのプリチャージと本駆動とを同時に行なっている。このことにより、スイッチの切替を１回省略することができ、更に効率よく駆動させることができる。
【００４９】
図６に示すように、１水平期間Ｈ中、パネル側スイッチＧＳＷｎａ、ＧＳＷｎｂ、ＧＳＷｎｃは全てＯＮとなる。そして、期間ｔａにおいて、スイッチＳＷｎａがＯＮする。これにより、データ線Ｓｎａに駆動電圧と同じプリチャージ電圧Ｖｎａが供給され、データ線Ｓｎａの電圧ＶＳｎａは、プリチャージ電圧（＝駆動電圧）Ｖｎａとされる。次の期間ｔｂにスイッチＳＷｎｂがＯＮする。これにより、データ線Ｓｎｂに駆動電圧と同じプリチャージ電圧Ｖｎｂが供給され、データ線Ｓｎｂの電圧ＶＳｎｂは、プリチャージ電圧（＝駆動電圧）Ｖｎｂとされる。このとき、データ線Ｓｎｂがプリチャージ電圧Ｖｎｂに充電されたことによって、両者のデータ線間に生じるカップリング容量Ｃｎａｂを介して、データ線Ｓｎａの電圧がΔＶａ１上昇する。
【００５０】
次の期間Ｔｃ'に、スイッチＳＷｎｂがＯＮする。これにより、データ線Ｓｎｃに駆動電圧Ｖｎｃが供給され、データ線Ｓｎｃの電圧ＶＳｎｃは、駆動電圧Ｖｎｃとされる。本例ではこのデータ線Ｓｎｃに関してはプリチャージと本駆動とをかねる。このため、例えば実施の形態１におけるｔａ＋Ｔａとするなど、他の駆動期間Ｔａ、Ｔｃより、その時間を若干長くする。このとき、データ線Ｓｎｃが駆動電圧Ｖｎｃに充電されたことによって、データ線Ｓｎｂとデータ線Ｓｎｃとの間に生じるカップリング容量Ｃｎｂｃを介して、データ線Ｓｎｂの電圧ＶＳｎｂがΔＶｂ１上昇する。さらに、データ線Ｓｎａとデータ線Ｓｎｂとの間に生じるカップリング容量Ｃｎａｂを介して、データ線Ｓｎａの電圧が更にΔＶａ２上昇する。
【００５１】
次の期間Ｔｂにおいて、スイッチＳＷｎｂがＯＮする。これにより、データ線Ｓｎｂに駆動電圧Ｖｎｂが供給され、データ線Ｓｎｂの電圧ＶＳｎｂは、駆動電圧Ｖｎｂとされる。すなわち、ＶＳｎｂ＝Ｖｎｂ＋ΔＶｂ１であったのが、ＶＳｎｂ＝Ｖｎｂに戻される。このときの電圧変動をＶｎｂ１とする。このようにデータ線Ｓｎｂの電圧ＶＳｎｂが、Ｖｎｂ１変動することで、データ線Ｓｎｃの電圧ＶＳｎｃはΔＶｃ１減少する。なおデータ線Ｓｎａの電圧ＶＳｎｃも駆動電位×Ｋ２だけ減少する。
【００５２】
次の期間Ｔａに、スイッチＳＷｎａがＯＮする。これにより、データ線Ｓ（ｎ＋１）ａに駆動電圧Ｖ（ｎ＋１）ａが供給され、データ線Ｓ（ｎ＋１）ａの電圧ＶＳ（ｎ＋１）ａは、駆動電圧Ｖ（ｎ＋１）ａに戻される。このときの変動Ｖ（ｎ＋１）ａ１の影響によって、カップリング容量Ｃ（ｎ＋１）ｃａを介して、データ線Ｓｎｃの電圧ＶＳｎｃがΔＶｃ２減少する。
【００５３】
すなわち、カップリング容量の影響による電圧誤差の概算値は、下記（４）のように表すことができる。なお、本例では、最もカップリング容量の影響を受ける始めに本駆動されるデータ線ＶＳｎｃについてのみ考えることとする。
データ線Ｓｎｃの電圧変位量：
ΔＶｃ１＋ΔＶｃ２＝Ｋｂｃ×Ｖｎｂ１
＋Ｋｂｃ×（Ｋａｂ×Ｖｎａ１）
＋Ｋｃａ×Ｖ（ｎ＋１）ａ１・・・（４）
ここで、Ｖｎａ＞＞Ｖｎａ１、Ｖｎｂ＞＞Ｖｎｂ１、Ｖ（ｎ＋１）ａ＞＞Ｖ（ｎ＋１）ａ１であり、データ線における電圧変動は、上述の（２）と同様、最もカップリング容量の影響を受ける、１水平期間において最初に本駆動されるデータ線においても、従来に比べて大幅にその影響を低減することができる。
【００５４】
本実施の形態においても、時分割駆動する際の駆動電圧の変動を極めて小さく抑制することができ、表示色が変化するなどの弊害を防止することができる。また、実施の形態１のように、時分割駆動するデータ線の組、本実施の形態においては、データ線Ｓｎａ、Ｓｎｂ、Ｓｂｃの全てについてプリチャージしておいてもよいが、本実施の形態のように、当該データ線の組のうち、本駆動するデータ線に隣接するデータ線を少なくともプリチャージしておくことで、同様の効果を奏する。
【００５５】
なお、本発明は上述した実施の形態のみに限定されるものではなく、本発明の要旨を逸脱しない範囲において種々の変更が可能であることは勿論である。本実施の形態においては、時分割ＳＷ回路をデータドライバとともにドライバＩＣ２０内に設ける場合について説明したが、パネル側に時分割ＳＷ回路を設けてもよいことは勿論である。なお、ドライバＩＣ２０内に時分割ＳＷ回路を設ける場合、ドライバＩＣ２０からパネル３０までの配線が長くなり、よりカップリング容量による影響を受けやすくなる場合があり、その場合は本発明の２回駆動による時分割駆動による駆動電圧の変動抑制効果が顕著となる。また、本実施の形態においては、フレーム反転駆動の場合について説明したが、その他、各種ドット反転、又はカラム反転駆動にも適用可能である。
【図面の簡単な説明】
【００５６】
【図１】本発明の実施の形態１にかかる表示装置を示す図である。
【図２】本発明の実施の形態１にかかる表示装置のドライバＩＣの詳細を示すブロック図である。
【図３】本発明の実施の形態１にかかる表示装置の要部を示す図である。
【図４】本発明の実施の形態１にかかる表示装置の時分割ＳＷ回路のスイッチの駆動タイミングを示す図である。
【図５】一般的な時分割駆動方式の駆動タイミングを示す図である。
【図６】本発明の実施の形態２にかかる表示装置の時分割ＳＷ回路のスイッチの駆動タイミングを示す図である。
【符号の説明】
【００５７】
１  表示装置
１０  コントローラ
１１  時分割ＳＷ回路
２０ドライバＩＣ
２１  データドライバ
２２  時分割ＳＷ回路
３０  パネル
３１  データ線
３２  ゲート線
３３  ゲートドライバ
３４  画素電極
１０１  シフトレジスタ
１０２  データレジスタ
１０３  データラッチ
１０４  レベルシフタ
１０５  コンバータ
１０６  出力アンプ部
１０６ｎ  出力アンプ
Ｓｎａ，Ｓｎｂ，Ｓｎｃ  データ線
Ｃｎａｂ，Ｃｎｂｃ  カップリング容量
Ｃｎａ，Ｃｎｂ，Ｃｎｃ  画素容量
Ｋａｂ，Ｋｂｃ  カップリング容量比
ＳＷｎａ，ＳＷｎｂ，ＳＷｎｃ  スイッチ
【図１】
2007279539.tif 000003
【図２】
2007279539.tif 000004
【図３】
2007279539.tif 000005
【図４】
2007279539.tif 000006
【図５】
2007279539.tif 000007
【図６】
2007279539.tif 000008